(57)【要約】【課題】放熱性の向上を図ることが可能な電源装置、及びそれを備える照明器具を提供する。【解決手段】電源装置４は、ケース６と、回路基板７と、絶縁部材８と、放熱部材７３とを備えている。ケース６は、開口６５を有する。回路基板７は、第１面７０１及び第２面７０２を有し、電源回路の複数の素子７１が実装され、ケース６に収納される。絶縁部材８は、電気絶縁性を有し、回路基板７の少なくとも開口６５側の第１面７０１を覆う。放熱部材７３は、弾性を有し、複数の素子７１のうち第１面７０１に実装された少なくとも一部の素子７１を覆う。ケース６は、開口６５側の端部６２４から突出するように形成され絶縁部材８を介して放熱部材７３を押圧する第１押圧部６６Ａ（押圧部）を有する。【選択図】図１
2017201614.tif 000002
【特許請求の範囲】
【請求項１】
開口を有するケースと、
第１面及び第２面を有し、電源回路の複数の素子が実装され、前記ケースに収納される回路基板と、
電気絶縁性を有し、前記回路基板の少なくとも前記開口側の前記第１面を覆う絶縁部材と、
弾性を有し、前記複数の素子のうち前記第１面に実装された少なくとも一部の素子を覆う放熱部材とを備え、
前記ケースは、前記開口側の端部から突出するように形成され前記絶縁部材を介して前記放熱部材を押圧する押圧部を有する
ことを特徴とする電源装置。
【請求項２】
前記押圧部は、前記絶縁部材を介して前記放熱部材を押圧する本体部と、前記本体部と前記ケースの前記端部とを繋ぐ接続部とを有し、
前記接続部の幅は、前記本体部の幅よりも狭い
ことを特徴とする請求項１記載の電源装置。
【請求項３】
前記ケースは、前記端部に凹部が形成されており、
前記押圧部は、前記凹部の底部から突出するように形成されている
ことを特徴とする請求項１又は２に記載の電源装置。
【請求項４】
前記絶縁部材は、
一面が前記回路基板の前記第１面と対向するカバー部と、
前記カバー部の端部から前記カバー部の前記一面に沿った方向に突出し、前記ケースの前記開口側の端部と対向する突出部とを有する
ことを特徴とする請求項１〜３のいずれか１項に記載の電源装置。
【請求項５】
前記絶縁部材は、
一面が前記回路基板の前記第１面と対向するカバー部と、
前記カバー部の端部から前記カバー部の前記一面と交差する方向に突出し、先端部が前記回路基板の前記第１面と対向する突出部とを有する
ことを特徴とする請求項１〜３のいずれか１項に記載の電源装置。
【請求項６】
請求項１〜５のいずれか１項に記載の電源装置と、
前記電源装置の前記開口を覆うように、前記電源装置が取り付けられる器具本体と、
前記器具本体に取り付けられ、前記電源装置からの電力供給により点灯する発光ダイオードを有する光源ユニットとを備え、
前記押圧部が前記器具本体と接触する
ことを特徴とする照明器具。
【発明の詳細な説明】
【技術分野】
【０００１】
本発明は、一般に電源装置、及び照明器具に関し、より詳細には、ケースに回路基板が収納されている電源装置、及びそれを備える照明器具に関する。
【背景技術】
【０００２】
従来、発光ダイオード（ＬＥＤ）を光源に用いた照明器具がある（例えば、特許文献１参照）。特許文献１の照明器具は、器具本体と、器具本体に取り付けられる光源ユニットとを備えている。光源ユニットは、複数のＬＥＤが実装されたＬＥＤ基板と、ＬＥＤ基板が取り付けられる取付部材と、複数のＬＥＤに点灯電力を供給する電源装置とを備えている。
【先行技術文献】
【特許文献】
【０００３】
【特許文献１】特開２０１４−７８５１２号公報
【発明の概要】
【発明が解決しようとする課題】
【０００４】
発光ダイオードを光源に用いた照明器具では、電源装置の熱をより効率よく放熱させることが望まれていた。
【０００５】
本発明は、上記事由に鑑みてなされており、その目的は、放熱性の向上を図ることが可能な電源装置、及びそれを備える照明器具を提供することにある。
【課題を解決するための手段】
【０００６】
本発明の一態様に係る電源装置は、ケースと、回路基板と、絶縁部材と、放熱部材とを備える。前記ケースは、開口を有する。前記回路基板は、第１面及び第２面を有し、電源回路の複数の素子が実装され、前記ケースに収納される。前記絶縁部材は、電気絶縁性を有し、前記回路基板の少なくとも前記開口側の前記第１面を覆う。放熱部材は、弾性を有し、前記複数の素子のうち前記第１面に実装された少なくとも一部の素子を覆う。前記ケースは、前記開口側の端部から突出するように形成され前記絶縁部材を介して前記放熱部材を押圧する押圧部を有する。
【０００７】
本発明の一態様に係る照明器具は、上記の電源装置と、器具本体と、光源ユニットとを備える。前記器具本体は、前記電源装置の前記開口を覆うように、前記電源装置が取り付けられる。前記光源ユニットは、前記器具本体に取り付けられ、前記電源装置からの電力供給により点灯する発光ダイオードを有する。前記押圧部が前記器具本体と接触する。
【発明の効果】
【０００８】
本発明の電源装置、及び照明器具では、放熱性の向上を図ることが可能になるという効果がある。
【図面の簡単な説明】
【０００９】
【図１】図１Ａは、本発明の実施形態１に係る電源装置の平面図である。図１Ｂは、同上の電源装置の正面図である。
【図２】図２は、図１ＡのＡ−Ａ線断面図である。
【図３】図３は、本発明の実施形態１に係る電源装置の分解斜視図である。
【図４】図４は、本発明の実施形態１に係る照明器具の斜視図である。
【図５】図５は、同上の照明器具の分解斜視図である。
【図６】図６は、同上の照明器具の第１光源ユニットを外した状態の正面図である。
【図７】図７は、本発明の実施形態１の変形例に係る照明器具の斜視図である。
【図８】図８は、本発明の実施形態２に係る電源装置の分解斜視図である。
【図９】図９は、同上の電源装置の平面図である。
【図１０】図１０は、本発明の実施形態２の第１変形例に係る電源装置の分解斜視図である。
【図１１】図１１Ａは、同上の電源装置の平面図である。図１１Ｂは、図１１ＡのＢ−Ｂ線断面図である。
【図１２】図１２は、本発明の実施形態２の第２変形例に係る電源装置の平面図である。
【図１３】図１３Ａは、同上の電源装置の正面図である。図１３Ｂは、同上の電源装置の下面図である。図１３Ｃは、同上の電源装置の背面図である。
【図１４】図１４Ａは、同上の電源装置の左側面図である。図１４Ｂは、同上の電源装置の右側面図である。
【発明を実施するための形態】
【００１０】
以下、本発明の実施の形態を図面に基づいて説明する。以下の実施形態において説明する各図は、模式的な図であり、図中の各構成要素の寸法比が必ずしも実際の寸法比を反映しているとは限らない。
【００１１】
（実施形態１）
本実施形態に係る電源装置４、及び照明器具９Ａを、図１Ａ〜６を参照して詳細に説明する。本実施形態の照明器具９Ａは、例えば、建物の避難経路となる階段の踊り場の壁面に設置される照明器具（いわゆる階段通路誘導灯）である。
【００１２】
まず、本実施形態における照明器具９Ａの詳細な構成について、図４〜６を参照して説明する。なお、以下の説明では、特に断りのない限り、図４に示す向きにおいて、第１光源ユニット１及び照明器具９Ａの上下、左右及び前後の各方向を規定する。すなわち、照明器具９Ａが階段の踊り場の壁面に設置された状態において、鉛直方向を上下方向とし、壁面の法線方向を前後方向とし、正面から見て左右方向を左右方向とする。図４において、各方向を示している矢印は、その方向を明確にする目的で記載しているに過ぎず実体を伴わない。
【００１３】
照明器具９Ａは、図４及び図５に示すように、第１光源ユニット１と、２つの第２光源ユニット２（光源ユニット）と、器具本体３と、電源装置４と、制御ユニット５１と、電池ユニット５２と、人検知ユニット５３とを備えている。
【００１４】
器具本体３は、長尺の矩形平板状に形成される背板３０と、各々が長尺の矩形平板状である上板３１及び下板３２とを有する（図５参照）。上板３１は、背板３０の上端における長手方向の両端部を除く部分から背板３０の法線方向に沿って前方へ突出するように形成されている。下板３２は、背板３０の下端における長手方向の両端部を除く部分から背板３０の法線方向に沿って前方へ突出するように形成されている。器具本体３は、金属板（例えば亜鉛めっき鋼板等）が曲げ加工されることにより、背板３０と上板３１及び下板３２とが一体に形成されている（図５参照）。
【００１５】
背板３０は、複数（図示例では４つ）の長孔３００を有している。これらの長孔３００は、背板３０の長手方向に沿って間隔を空けて設けられている（図６参照）。これらの長孔３００はそれぞれ、踊り場の壁（コンクリート壁）に埋設されているアンカーボルトが挿通される。そして、これらのアンカーボルトにナットが締め付けられることによって、器具本体３が踊り場の壁に設置される。また、背板３０の長手方向の略中央に、複数（図示例では２つ）の丸孔３０１が長手方向に並ぶように設けられている（図６参照）。これらの丸孔３０１は、常用電源（商用電源）からの給電用の給電線が挿通される、さらに、背板３０の前面における丸孔３０１の近傍には、複数（図示例では３つ）の端子台３３が取り付けられている。これらの端子台３３には、丸孔３０１から引き込まれる給電線や、建物に設置されている自動火災報知設備から火災信号を受信するための信号線などが電気的に接続される。
【００１６】
電池ユニット５２は、ニッケル水素電池などの２次電池を複数有し、これら複数の２次電池が合成樹脂成製のケースに収容されて構成される。なお、電池ユニット５２は、背板３０の前面における左端の部位に取り付けられている（図６参照）。
【００１７】
電源装置４は、非常用の電源装置であり、電源回路を有している。この電源回路は、常用電源から給電される交流電力を直流電力に変換して電池ユニット５２を充電する充電回路と、常用電源が停電したときに電池ユニット５２から給電される直流電力で第２光源ユニット２を点灯させる点灯回路とを兼ねている。さらに、電源装置４は、後述する点検スイッチが押操作されたとき、充電回路の動作を強制的に停止し、かつ、電池ユニット５２から給電される直流電力で第２光源ユニット２を点灯させる点灯回路の動作を行うように構成される。電源装置４は、図６に示すように、背板３０の前面における右端の部位に取り付けられている。なお、電源装置４の詳細な構成については、後述する。
【００１８】
点検スイッチは、合成樹脂製の箱体５０に収容され、下板３２の左端近傍に取り付けられている。箱体５０内には、押釦スイッチからなる点検スイッチの他に、赤外線を媒体とするワイヤレス信号を受信する受光素子などが収容されている。箱体５０の下面に、複数の孔５００が設けられている（図４参照）。そして、これらの孔５００を通して点検スイッチの押釦の押操作や、受光素子によるワイヤレス信号の受信が可能となっている。電源装置４は、受光素子でワイヤレス信号を受信した場合も、点検スイッチが押操作されたときと同じく、充電回路の動作を強制的に停止し、かつ、電池ユニット５２から給電される直流電力で第２光源ユニット２を点灯させる点灯回路の動作を行う。
【００１９】
人検知ユニット５３は、電波センサ５３０と、センサ取付台５３１とを有する。電波センサ５３０は、ミリ波帯の電波を媒体として人（移動体）を検知し、人を検知したときに人検知信号を制御ユニット５１に出力するように構成される。センサ取付台５３１は、電波センサ５３０を保持し、器具本体３の下板３２における長手方向の中央に取り付けられる（図４〜図６参照）。
【００２０】
制御ユニット５１は、常用電源から給電されて動作し、人検知ユニット５３（の電波センサ５３０）から出力される人検知信号に応じて、第１光源ユニット１を制御するように構成される。制御ユニット５１は、人検知ユニット５３から人検知信号が出力されているとき、第１光源ユニット１に定格点灯するように指示するための制御信号を出力する。また、制御ユニット５１は、人検知信号が出力されなくなってから所定の待機時間（例えば、数十秒から数分）が経過したとき、第１光源ユニット１に消灯又は定格点灯時よりも少ない光量で点灯するように指示するための制御信号を出力する。ただし、制御ユニット５１は、常用電源が停電したときは全ての動作を停止する。
【００２１】
第１光源ユニット１は、図５に示すように、ＬＥＤモジュール１０（LED:Light Emitting Diode）と、ＬＥＤモジュール１０が取り付けられる取付部材１１と、ＬＥＤモジュール１０を覆うように取付部材１１に取り付けられるカバー１２とを備える。また、第１光源ユニット１は、ＬＥＤモジュール１０に直流電力を供給する電源ユニット１３を備えている。
【００２２】
ＬＥＤモジュール１０は、長尺の矩形板状に形成された実装基板１００を有する。実装基板１００は、その前面に複数のＬＥＤ（発光ダイオード）１０１が左右方向（長手方向）に沿って１列に並ぶように実装されている（図５参照）。なお、実装基板１００は、例えば、左側の端部にコネクタが実装されている。このコネクタは、実装基板１００に形成されている導体と、電源ユニット１３の出力線とを電気的に接続するように構成される。
【００２３】
取付部材１１は、板金によってＵ字状に形成されている。取付部材１１は、長尺かつ矩形板状に形成された底板１１０と、底板１１０の上端及び下端からそれぞれ後方に突出する一対の側板１１１とを有する（図５参照）。上述したＬＥＤモジュール１０は、例えば、取付部材１１の底板１１０の一部を切り起こすことで形成された爪により、取付部材１１に固定される。
【００２４】
電源ユニット１３は、常用電源から供給される交流電力を直流電力に変換し、当該直流電力をＬＥＤモジュール１０に供給してＬＥＤモジュール１０を点灯させるように構成される。また、電源ユニット１３は、制御ユニット５１から出力される制御信号に応じて、ＬＥＤモジュール１０に供給する直流電力を増減するように構成される。つまり、電源ユニット１３は、制御ユニット５１からＬＥＤモジュール１０を定格点灯するように指示するための制御信号を受け取った場合、ＬＥＤモジュール１０に定格の直流電力（直流電流）を供給する。また、電源ユニット１３は、制御ユニット５１からＬＥＤモジュール１０を消灯するように指示するための制御信号を受け取った場合、ＬＥＤモジュール１０への直流電力の供給を停止する。また、電源ユニット１３は、制御ユニット５１からＬＥＤモジュール１０を定格点灯時よりも少ない光量で点灯するように指示するための制御信号を受け取った場合、ＬＥＤモジュール１０に定格よりも少ない直流電力を供給する。なお、電源ユニット１３は、取付部材１１の後面側において、例えば、ねじなどを用いて側板１１１に取り付けられる。
【００２５】
カバー１２は、図５に示すように、カバー本体１４と一対のカバーエンド１５とを有している。カバー本体１４は、透光性を有する合成樹脂（例えば、アクリル樹脂、ポリカーボネート樹脂等）により構成されている。カバー本体１４は、長手方向（左右方向）の両端が開放された角筒状に形成されている。一対のカバーエンド１５はそれぞれ、カバー本体１４を形成する材料と同じ材料により構成されている。一対のカバーエンド１５はそれぞれ、矩形板状に形成されている。一方のカバーエンド１５は、カバー本体１４の左端に取り付けられてカバー本体１４の左側の端面を塞いでいる。他方のカバーエンド１５は、カバー本体１４の右端に取り付けられてカバー本体１４の右側の端面を塞いでいる（図５参照）。
【００２６】
第１光源ユニット１は、取付部材１１から後方に突出するように設けられた一対の引掛金具１１３のそれぞれの先端部分を、器具本体３の上板３１に設けられる受け金具３１０（図６参照）に引っ掛けることで器具本体３に仮保持される。そして、第１光源ユニット１は、取付部材１１における下側の側板１１１に設けられた一対の引掛ばねが、器具本体３の下板３２に設けられている引掛板３２０の溝３２００（図６参照）の縁に引っ掛けられることで器具本体３に取り付けられる（図４参照）。
【００２７】
２つの第２光源ユニット２はそれぞれ、非常用の光源ユニットであり、非常用ＬＥＤモジュール２０、取付台２１、ユニットカバー２２などを備えている（図５参照）。非常用ＬＥＤモジュール２０は、非常照明用の光源であるＬＥＤ（発光ダイオード）、ＬＥＤから放射される光の配光を制御するレンズ２０１などを有している。取付台２１は、一対の側壁２１０と、これら一対の側壁２１０同士を連結する連結片とを有している。一対の側壁２１０はそれぞれ、矩形板状に形成されている。非常用ＬＥＤモジュール２０は、連結片の前面に取り付けられている。２つのユニットカバー２２はそれぞれ、２つの取付台２１のうちの対応する取付台２１の連結片の前面、上面及び下面を覆うように構成されている。ただし、非常用ＬＥＤモジュール２０のレンズ２０１は、ユニットカバー２２に設けられている窓孔２２３０に挿通されている（図５参照）。
【００２８】
２つの第２光源ユニット２のうちの一方の第２光源ユニット２は、器具本体３の長手方向の一端部（左端部）に取り付けられる。また、２つの第２光源ユニット２のうちの他方の第２光源ユニット２は、器具本体３の長手方向の他端部（右端部）に取り付けられる。つまり、２つの第２光源ユニット２は、長尺の器具本体３の長手方向の両端に１つずつ配置される（図４参照）。
【００２９】
第１光源ユニット１が点灯すると、ＬＥＤモジュール１０（のＬＥＤ１０１）から放射される光がカバー１２を透過して前方へ照射される。また、常用電源が停電して第２光源ユニット２が点灯すると、非常用ＬＥＤモジュール２０（のＬＥＤ）から放射される光がユニットカバー２２を透過して前方へ照射される。
【００３０】
次に、本実施形態における電源装置４の詳細な構成について、図１Ａ、図１Ｂ、図２、図３を参照して説明する。以下の、電源装置４の構成の説明で用いる方向は、図１Ａの上下方向を第１方向Ｄ１、図１Ａの左右方向を第２方向Ｄ２、図１Ｂの上下方向を第３方向Ｄ３と規定する。図１Ａ、図１Ｂ、図２、図３において、第１方向Ｄ１、第２方向Ｄ２、第３方向Ｄ３それぞれの矢印は、方向を明確にする目的で記載しているに過ぎず実態を伴わない。
【００３１】
電源装置４は、ケース６と、回路基板７と、絶縁部材８と、放熱部材７３とを備えている。電源装置４は、図６に示すように、器具本体３の背板３０に取り付けられる。
【００３２】
ケース６は、底板６０、第１側板６１、第２側板６２、第３側板６３、及び第４側板６４を有し、一面が開口した箱状に形成されている。なお、ケース６は、金属板（例えば亜鉛めっき鋼板等）の曲げ加工により、底板６０、第１側板６１、第２側板６２、第３側板６３、及び第４側板６４が一体に形成されていることが好ましい。
【００３３】
底板６０は、第３方向Ｄ３を厚さ方向とする矩形状に形成されている。第１方向Ｄ１において、底板６０の一端部から第１側板６１が第３方向Ｄ３の一方側に向かって突出し、底板６０の他端部から第２側板６２が第３方向Ｄ３の一方側に向かって突出している。また、第２方向Ｄ２において、底板６０の一端部から第３側板６３が第３方向Ｄ３の一方側に向かって突出し、底板６０の他端部から第４側板６４が第３方向Ｄ３の一方側に向かって突出している。ケース６は、底板６０、及び第１〜第４側板６１〜６４で囲まれる空間を形成しており、底板６０の第３方向Ｄ３の一方側に開口６５を有する。
【００３４】
第１側板６１及び第２側板６２は、第２方向Ｄ２の寸法が底板６０の第２方向Ｄ２の寸法よりも長く形成されており、第３側板６３よりも第２方向Ｄ２の一方側（図１Ａの左側）に延長している。第３側板６３は、第３方向Ｄ３の寸法が第１側板６１、第２側板６２、及び第４側板６４それぞれの第３方向Ｄ３の寸法よりも短く形成されている。
【００３５】
固定片６４１が、第４側板６４における第３方向Ｄ３の一端部（底板６０とは反対側の端部）から、ケース６の外側に向かって突出するように形成されている。固定片６４１は、第３方向Ｄ３を厚さ方向としている。ケース６（電源装置４）を器具本体３に取り付けるためのねじを通す貫通孔６４２が、固定片６４１に形成されている。
【００３６】
規制片６２０が、第２側板６２における第２方向Ｄ２の一端部から第１方向Ｄ１の一方側（図１Ａの上側）に向かって突出するように形成されている。固定片６２１が、規制片６２０における第３方向Ｄ３の一端部から、ケース６の外側に向かって突出するように形成されている。固定片６２１は、第３方向Ｄ３を厚さ方向としている。ケース６（電源装置４）を器具本体３に取り付けるためのねじを通す貫通孔６２２が、固定片６２１に形成されている。ケース６は、ねじが固定片６２１，６４１の貫通孔６２２，６４２を通して器具本体３のねじ孔に結合されることにより、開口６５が器具本体３の背板３０で覆われるように器具本体３に取り付けられる。
【００３７】
第１側板６１における第２方向Ｄ２の一方側及び他方側の領域には、ケース６の内側に向かって突出するように一対の突部６１３が形成されている。また、第２側板６２における第２方向Ｄ２の一方側及び他方側の領域には、ケース６の内側に向かって突出するように一対の突部６２３が形成されている。一対の突部６１３、及び一対の突部６２３は、第３側板６３よりも開口６５側に形成されている。
【００３８】
回路基板７は、矩形状に形成されたプリント基板であり、第１面７０１、及び第２面７０２を有する。回路基板７は、第３方向Ｄ３が厚さ方向となるようにケース６に収納される。回路基板７は、第２方向Ｄ２の寸法が、底板６０の第２方向Ｄ２の寸法よりも長く形成されており、ケース６の一対の突部６１３、及び一対の突部６２３と接触することにより、底板６０側への移動が規制される。
【００３９】
一対の突部６１３の開口６５側には、ケース６に収納された回路基板７が開口６５側に移動することを規制する一対の爪片６１３１が形成されている。爪片６１３１は、矩形状に形成されており、第２方向Ｄ２の一辺のみが第１側板６１と繋がっており、先端部がケース６の内側に位置するように曲げられている。また、一対の突部６２３の開口６５側には、ケース６に収納された回路基板７が開口６５側に移動することを規制する一対の爪片６２３１が形成されている。爪片６２３１は、矩形状に形成されており、第２方向Ｄ２の一辺のみが第２側板６２と繋がっており、先端部がケース６の内側に位置するように曲げられている。爪片６１３１，６２３１は、先端部がケース６に収納された回路基板７の開口６５側に位置することにより、回路基板７が開口６５側に移動することを規制する。つまり、回路基板７は、一対の突部６１３，６２３、及び一対の爪片６１３１，６２３１により、第３方向Ｄ３の位置決めがされる。なお、図３では、爪片６１３１，６２３１が曲げられる前の状態を示している。
【００４０】
回路基板７は、電源回路の複数の素子７１が、ケース６の開口６５側（底板６０と反対側）の第１面７０１、及び底板６０側の第２面７０２のそれぞれに実装されている。第１面７０１には、電源回路の複数の素子７１のうちＳＭＤ（Surface Mount Device）が実装されている。第２面７０２には、電源回路の複数の素子７１のうち、高さ寸法が比較的大きい部品、リード端子を有するリード端子部品等が実装されている。また、第２面７０２には、ケース６の第３側板６３よりも第２方向Ｄ２の一方側（図１Ａの左側）の領域にコネクタ７２が設けられている（図６参照）。このコネクタ７２には、常用電源からの給電線、第２光源ユニット２への出力線、及び電池ユニット５２の電力線等が電気的に接続される。
【００４１】
また、第１面７０１には、複数の素子７１のうち比較的発熱量が大きい発熱素子７１１（例えば、ＭＯＳＦＥＴ、ダイオード等）が実装されている。本実施形態では、第２側板６２の近傍の領域に複数の発熱素子７１１がまとまって配置されている。複数の発熱素子７１１は、放熱部材７３により覆われている。
【００４２】
放熱部材７３は、空気よりも熱伝導率が高く、かつ弾性を有する材料（例えばシリコーン樹脂）により構成されており、矩形板状に形成されている。放熱部材７３は、複数の発熱素子７１１を一体に覆うように設けられている。
【００４３】
絶縁部材８は、電気絶縁性を有する材料（例えば樹脂等）で構成されており、容易に折り曲げが可能なシート状に形成されている。図２に示すように、絶縁部材８は、ケース６に組み込まれた状態では、回路基板７の全周を囲むようにケース６の内周面（底板６０、第１側板６１、第２側板６２）、及び開口６５に沿って折り曲げられている。また、絶縁部材８は、ケース６に組み込まれた状態では、第２側板６２における開口６５側の端部６２４の近傍において、一端部と、この一端部と反対側の他端部とが第１方向Ｄ１で互いに対向して重なり合うように構成されている。図３に示すように、絶縁部材８には、ケース６の一対の突部６１３、及び一対の突部６２３を通す４つの孔８１が形成されている。また、絶縁部材８には、第３側板６３を通す２つのスリット８２が形成されている。図３では、絶縁部材８の一部を展開した状態を示している。絶縁部材８は、回路基板７の全周を囲むように設けられることにより、回路基板７に実装された複数の素子７１とケース６との間の電気絶縁性、及び回路基板７に実装された複数の素子７１と器具本体３の背板３０との間の電気絶縁性を確保する。
【００４４】
ケース６は、ケース６に組み込まれた状態の絶縁部材８が開くことを抑制する２つの押圧部６６を備えている。２つの押圧部６６の各々は、第２側板６２における開口６５側の端部６２４から突出するように形成されている。より具体的には、第２側板６２の端部６２４には、２つの凹部６２５が第２方向Ｄ２の一方側と他方側とに１つずつ形成されており、２つの押圧部６６の各々は、凹部６２５の底部から突出するように形成されている。２つの押圧部６６を区別する場合、第２方向Ｄ２の一方側（図１Ａの左側）を第１押圧部６６Ａ、第２方向Ｄ２の他方側（図１Ａの右側）を第２押圧部６６Ｂという。
【００４５】
押圧部６６は、矩形状の本体部６６１と、本体部６６１と第２側板６２の端部６２４とを繋ぐ接続部６６２とを有している。接続部６６２は、本体部６６１よりも幅が狭く形成されている。ここでいう「幅」とは、第２側板６２の面に沿った方向（第２方向Ｄ２）の寸法である。図１Ａ、図１Ｂ、図２に示すように、押圧部６６は、開口６５に向かって接続部６６２が略直角に曲げられることにより、本体部６６１が絶縁部材８を押さえる。本実施形態では、接続部６６２が曲げられた状態では、第３方向Ｄ３における、本体部６６１の一面（絶縁部材８と反対側の面）の位置と、ケース６の開口６５側の端部（凹部６２５を除く）の位置とが略一致するように構成されている。なお、図３では、接続部６６２が曲げられる前の状態を示している。
【００４６】
第１押圧部６６Ａは、放熱部材７３に対して第１方向Ｄ１の一方側に形成されている。第１押圧部６６Ａは、接続部６６２が曲げられることにより、本体部６６１が絶縁部材８を介して放熱部材７３を押圧するように構成されている。第１押圧部６６Ａは、放熱部材７３により覆われた発熱素子７１１から発生する熱を放熱させる機能と、絶縁部材８が展開しないように絶縁部材８を押さえる機能とを兼ねている。また、第１押圧部６６Ａは、本体部６６１のサイズ（第１方向Ｄ１及び第２方向Ｄ２の寸法）が第２押圧部６６Ｂよりも大きく形成され、放熱部材７３を押圧する面積の増加を図っている。
【００４７】
次に、電源装置４の組み立て工程について説明する。
【００４８】
まず、絶縁部材８を、ケース６の内周面に沿うように一部を展開した状態でケース６に入れる。複数の素子７１が実装された回路基板７をケース６に収納し、放熱部材７３を配置した後、回路基板７の全周を囲むように絶縁部材８を閉じる。一対の爪片６１３１、及び一対の爪片６２３１を曲げて回路基板７を位置決めし、押圧部６６の接続部６６２を曲げ、本体部６６１で絶縁部材８を押さえる。
【００４９】
そして、上記のように組み立てられた電源装置４は、ケース６の開口６５が器具本体３の背板３０で覆われるように、器具本体３に取り付けられる。電源装置４が器具本体３に取り付けられることにより、押圧部６６が器具本体３の背板３０と接触する。
【００５０】
次に、本実施形態に係る電源装置４、及び照明器具９Ａの利点について説明する。
【００５１】
上述したように、本実施形態に係る電源装置４は、ケース６と、回路基板７と、絶縁部材８と、放熱部材７３とを備えている。ケース６は、開口６５を有する。回路基板７は、第１面７０１及び第２面７０２を有し、電源回路の複数の素子７１が実装され、ケース６に収納される。絶縁部材８は、電気絶縁性を有し、回路基板７の少なくとも開口６５側の第１面７０１を覆う。放熱部材７３は、弾性を有し、複数の素子７１のうち第１面７０１に実装された少なくとも一部の素子７１（発熱素子７１１）を覆う。ケース６は、開口６５側の端部６２４から突出するように形成され絶縁部材８を介して放熱部材７３を押圧する第１押圧部６６Ａ（押圧部）を有する。
【００５２】
上記構成により、第１押圧部６６Ａが絶縁部材８を介して放熱部材７３を押圧するので、放熱部材７３により覆われた素子７１（発熱素子７１１）から発生した熱は、放熱部材７３を介して押圧部６６（ケース６）に放熱される。これにより、電源装置４の放熱性の向上を図ることが可能となる。
【００５３】
本実施形態に係る照明器具９Ａは、電源装置４と、器具本体３と、第２光源ユニット２（光源ユニット）とを備えている。器具本体３は、電源装置４の開口６５を覆うように、電源装置４が取り付けられる。第２光源ユニット２は、器具本体３に取り付けられる。第２光源ユニット２は、電源装置４からの電力供給により点灯する発光ダイオードを有する。第１押圧部６６Ａ（押圧部）が器具本体３と接触する。
【００５４】
上記構成により、開口６５が覆われるように電源装置４が器具本体３に取り付けられることにより、第１押圧部６６Ａが器具本体３と接触可能となる。したがって、放熱部材７３により覆われた素子７１（発熱素子７１１）から発生した熱を、放熱部材７３、及び第１押圧部６６Ａを介して器具本体３に放熱させることが可能となる。これにより、電源装置４の放熱性がより向上し、照明器具９Ａの放熱性の向上を図ることが可能となる。
【００５５】
さらに、器具本体３は、取り付けられた電源装置４の開口６５を覆っており、電源装置４のケース６の蓋としての機能を兼ねている。これにより、電源装置４自体が、ケース６の開口６５を覆う蓋を備える構成に比べて、電源装置４の小型化、及び電源装置４を構成する材料の削減によるコストの低下を図ることが可能となる。
【００５６】
また、放熱部材７３の周囲における回路基板７と器具本体３との間には空気層が形成されるので、放熱部材７３により覆われた素子７１（発熱素子７１１）から発生した熱が、熱輻射によって他の素子７１に伝わることが抑制される。
【００５７】
また、電源装置４において、第１押圧部６６Ａ（押圧部）は、絶縁部材８を介して放熱部材７３を押圧する本体部６６１と、本体部６６１とケース６の端部６２４とを繋ぐ接続部６６２とを有することが好ましい。接続部６６２の幅は、本体部６６１の幅よりも狭いことが好ましい。
【００５８】
上記構成により、接続部６６２は、本体部６６１よりも幅が狭いため、本体部６６１よりも曲がりやすくなる。したがって、押圧部６６をケース６の開口６５側に向かって曲げる際に接続部６６２が曲げられるので、曲げ位置のばらつきを抑制することが可能となる。
【００５９】
また、電源装置４において、ケース６は、端部６２４に凹部６２５が形成されており、第１押圧部６６Ａ（押圧部）は、凹部６２５の底部から突出するように形成されていることが好ましい。
【００６０】
上記構成により、第１押圧部６６Ａは、ケース６に収納された回路基板７（放熱部材７３）により近い位置に設けられる。したがって、第１押圧部６６Ａが、絶縁部材８を介して放熱部材７３を押圧する力を強くなる。これにより、放熱部材７３が圧縮され、放熱部材７３により覆われた素子７１（発熱素子７１１）と第１押圧部６６Ａとの間の熱抵抗が低減するので、電源装置４の放熱性をより向上させることが可能となる。
【００６１】
さらに、第１押圧部６６Ａが凹部６２５の底部から突出するように形成されることにより、第１押圧部６６Ａの曲げられた部分（屈曲部）が、ケース６の開口６５側の端部よりも突出することが抑制される。したがって、電源装置４を器具本体３に取り付けた際に、第１押圧部６６Ａの屈曲部が器具本体３に接触することが抑制される。これにより、器具本体３と放熱部材７３との間に空気層が形成されることが抑制され、電源装置４の放熱性の向上を図ることが可能となる。
【００６２】
また、電源装置４が器具本体３に取り付けられていない状態において、放熱部材７３は、ケース６の開口６５側の端部よりも突出していることが好ましい。放熱部材７３は、弾性を有しているので、電源装置４が器具本体３に取り付けられた際に、放熱部材７３が圧縮される。これにより、器具本体３と放熱部材７３との間に空気層が形成されることが抑制され、電源装置４の放熱性の向上を図ることが可能となる。また、電源装置４が器具本体３に取り付けられていない状態では、第１押圧部６６Ａの先端部が放熱部材７３から離れていてもよい。このような場合でも、電源装置４が器具本体３に取り付けられることにより、第１押圧部６６Ａの本体部６６１の一面（絶縁部材８と反対側の面）の位置と、ケース６の開口６５側の端部（凹部６２５を除く）の位置とが略一致し、放熱部材７３が圧縮される。
【００６３】
次に、電源装置４、及び照明器具９Ａの変形例について説明する。
【００６４】
第１押圧部６６Ａは、本体部６６１が放熱部材７３の一部を押圧可能なサイズに形成されているが、本体部６６１が放熱部材７３の全体を押圧可能なサイズに形成されていてもよい。
【００６５】
第１押圧部６６Ａと第２押圧部６６Ｂとは、互いに本体部６６１のサイズが同じであってもよい。
【００６６】
押圧部６６の数は２つに限らず、第１押圧部６６Ａのみ、あるいは第１押圧部６６Ａを含む３つ以上であってもよい。また、電源装置４は、２つ以上の放熱部材７３を備え、各放熱部材７３が押圧部６６によって押圧される構成であってもよい。
【００６７】
本実施形態の変形例に係る照明器具９Ｂを図７に示す。照明器具９Ｂは、上述した照明器具９Ａ（図４〜６参照）に比べて、器具本体３の前後方向の厚みが薄く、かつ、器具本体３の上下方向の幅が広い（背が高い）。また、２つの第２光源ユニット２はそれぞれ、照明器具９Ａにおける２つの第２光源ユニット２に比べて、取付台２１及びユニットカバー２２の前後方向の厚みが薄く、かつ、上下方向の幅が広い。
【００６８】
（実施形態２）
実施形態２に係る電源装置４Ａを、図８、９を参照して詳細に説明する。電源装置４Ａについて、実施形態１の電源装置４と同様の構成には、同一の符号を付して説明を省略する。
【００６９】
電源装置４Ａは、ケース６と、回路基板７と、絶縁部材８Ａと、放熱部材７３とを備えている。電源装置４Ａは、実施形態１の電源装置４と同様に、器具本体３の背板３０（図６参照）に取り付けられる。
【００７０】
絶縁部材８Ａは、突出部８０３Ａを有している点が、実施形態１の絶縁部材８と相違する。
【００７１】
本実施形態では、絶縁部材８Ａにおいて、ケース６に組み込まれた状態で回路基板７の第１面７０１と対向する部位をカバー部８０１という。カバー部８０１の一面８０１３は、絶縁部材８Ａがケース６に組み込まれた状態において、第１方向Ｄ１及び第２方向Ｄ２に沿った矩形状の面であり、第３方向Ｄ３において回路基板７の第１面７０１と対向する。カバー部８０１は、第２方向Ｄ２の一方側の端部である第１端部８０１１と、第２方向Ｄ２の他方側の端部である第２端部８０１２とを有する。第１端部８０１１は、絶縁部材８Ａがケース６に組み込まれた状態において、第２方向Ｄ２における絶縁部材８Ａの中央部に対して第１押圧部６６Ａ側の端部である。第２端部８０１２は、絶縁部材８Ａがケース６に組み込まれた状態において、第２方向Ｄ２における絶縁部材８Ａの中央部に対して第２押圧部６６Ｂ側の端部である。
【００７２】
また、本実施形態では、絶縁部材８Ａの一端部であり、カバー部８０１と隣り合う部位を差込部８０２という。絶縁部材８Ａがケース６に組み込まれた状態において、絶縁部材８Ａの一端部である差込部８０２は、第２側板６２における開口６５側の端部６２４の近傍において、絶縁部材８Ａの他端部と対向するように重なり合う。
【００７３】
突出部８０３Ａは、カバー部８０１の第２端部８０１２における差込部８０２側から突出するように形成されている。突出部８０３Ａは、矩形状に形成されており、カバー部８０１の第２端部８０１２からカバー部８０１の一面８０１３に沿った方向に突出している。つまり、突出部８０３Ａは、絶縁部材８Ａがケース６に組み込まれた状態において、第１方向Ｄ１及び第２方向Ｄ２に沿った一面を有する。突出部８０３Ａは、絶縁部材８Ａがケース６に組み込まれた状態において、ケース６の第４側板６４における開口６５側の端部６４３と対向する。
【００７４】
上述したように、電源装置４Ａにおいて、絶縁部材８Ａは、カバー部８０１と、突出部８０３Ａとを有することが好ましい。カバー部８０１は、一面８０１３が回路基板７の第１面７０１と対向することが好ましい。突出部８０３Ａは、カバー部８０１の端部（第２端部８０１２）からカバー部８０１の一面８０１３に沿った方向に突出し、ケース６の開口６５側の端部６４３と対向することが好ましい。
【００７５】
上記構成により、電源装置４Ａは、絶縁部材８Ａがケース６に組み込まれた状態において、突出部８０３Ａがケース６の開口６５側の端部６４３に引っ掛かり、回路基板７に対してカバー部８０１を位置決めすることが可能となる。
【００７６】
次に、本実施形態の第１変形例に係る電源装置４Ｂについて、図１０〜１１Ｂを参照して説明する。電源装置４Ｂについて、電源装置４，４Ａと同様の構成には、同一の符号を付して説明を省略する。
【００７７】
電源装置４Ｂは、ケース６と、回路基板７と、絶縁部材８Ｂと、放熱部材７３とを備えている。電源装置４Ｂは、実施形態１の電源装置４と同様に、器具本体３の背板３０（図６参照）に取り付けられる。
【００７８】
絶縁部材８Ｂは、突出部８０３Ｂの突出方向が、絶縁部材８Ａの突出部８０３Ａの突出方向と異なる。突出部８０３Ｂは、カバー部８０１の第２端部８０１２における差込部８０２側から突出するように形成されている。突出部８０３Ｂは、矩形状に形成されており、カバー部８０１の第２端部８０１２から、カバー部８０１の一面８０１３の面方向と交差する方向に突出している。突出部８０３Ｂは、カバー部８０１に対する差込部８０２の突出方向と略同じ方向に突出している。つまり、突出部８０３Ｂは、絶縁部材８Ｂがケース６に組み込まれた状態において、カバー部８０１の第２端部８０１２から回路基板７に向かって突出している。また、突出部８０３Ｂは、絶縁部材８Ｂがケース６に組み込まれた状態において、先端部８０３１が回路基板７の第１面７０１と対向する。図１１Ｂに示すように、突出部８０３Ｂは、絶縁部材８Ｂがケース６に組み込まれた状態において、先端部８０３１と回路基板７とが離れるように形成されているが、先端部８０３１と回路基板７とが接触するように形成されていてもよい。
【００７９】
上述したように、電源装置４Ｂにおいて、絶縁部材８Ｂは、カバー部８０１と、突出部８０３Ｂとを有することが好ましい。カバー部８０１は、一面８０１３が回路基板７の第１面７０１と対向することが好ましい。突出部８０３Ｂは、カバー部８０１の端部（第２端部８０１２）からカバー部８０１の一面８０１３と交差する方向に突出し、先端部８０３１が回路基板７の第１面７０１と対向することが好ましい。
【００８０】
上記構成により、電源装置４Ｂは、絶縁部材８Ｂがケース６に組み込まれた状態において、カバー部８０１から回路基板７に向かって突出部８０３Ｂが突出しているので、回路基板７に対してカバー部８０１を位置決めすることが可能となる。
【００８１】
また、ケース６の形状は、上記の形状に限らない。本実施形態の第２変形例に係る電源装置４Ｃについて、図１２〜１４Ｂを参照して説明する。電源装置４Ｃについて、電源装置４，４Ａ，４Ｂと同様の構成には同一の符号を付して説明を省略する。
【００８２】
電源装置４Ｃのケース６Ｃは、一部が面取りされた箱状に形成されている。ケース６Ｃは、底板６０Ｃ、第１側板６１Ｃ、第２側板６２Ｃ、第３側板６３Ｃ、第４側板６４Ｃ、及び斜板６７Ｃを有する。ケース６Ｃは、金属板（例えば亜鉛めっき鋼板等）の曲げ加工により、底板６０Ｃ、第１側板６１Ｃ、第２側板６２Ｃ、第３側板６３Ｃ、第４側板６４Ｃ、及び斜板６７Ｃが一体に形成されていることが好ましい。
【００８３】
底板６０Ｃは、第３方向Ｄ３を厚さ方向とする矩形板状に形成されている。第２側板６２Ｃは、第１方向Ｄ１における底板６０Ｃの端部から第３方向Ｄ３の一方側に向かって突出している。第１側板６１Ｃは、第２側板６２Ｃと第１方向Ｄ１に対向している。斜板６７Ｃは、第１方向Ｄ１における底板６０Ｃの端部と、第３方向Ｄ３における第１側板６１Ｃの端部とを繋ぐように形成されている。斜板６７Ｃは、底板６０Ｃ及び第１側板６１Ｃに対して傾斜している。第３側板６３Ｃは、第２方向Ｄ２における底板６０Ｃの一端部から第３方向Ｄ３の一方側に向かって突出している。第４側板６４Ｃは、第２方向Ｄ２における底板６０Ｃの他端部から第３方向Ｄ３の一方側に向かって突出している。第４側板６４Ｃは、底板６０Ｃに対してケース６Ｃの外側に向かって傾斜するように形成されている。
【００８４】
第１側板６１Ｃ及び第２側板６２Ｃは、第２方向Ｄ２の寸法が底板６０Ｃの第２方向Ｄ２の寸法よりも長く形成されている。第１側板６１Ｃ及び第２側板６２Ｃは、第３側板６３Ｃよりも第２方向Ｄ２の一方側に延長し、かつ、第４側板６４Ｃよりも第２方向Ｄ２の他方側に延長している。第３側板６３Ｃ及び第４側板６４Ｃは、第３方向Ｄ３の寸法が第２側板６２Ｃの第３方向Ｄ３の寸法よりも短く形成されている。
【００８５】
第２側板６２Ｃにおける第２方向Ｄ２の一端部から第１方向Ｄ１の一方側に向かって突出したＬ字状の規制片６２０が形成されている。規制片６２０における第３方向Ｄ３の一端部から、ケース６Ｃの外側に向かって突出した固定片６２１が形成されている。また、第２側板６２Ｃにおける第２方向Ｄ２の他端部から第１方向Ｄ１の一方側に向かって突出した規制片６２６が形成されている。
【００８６】
第１側板６１Ｃにおける第２方向Ｄ２の一端部から第１方向Ｄ１の他方側に向かって突出した規制片６１４が形成されている。また、第１側板６１Ｃにおける第２方向Ｄ２の他端部から第１方向Ｄ１の他方側に向かって突出したＬ字状の規制片６１０が形成されている。規制片６１０における第３方向Ｄ３の一端部から、ケース６Ｃの外側に向かって突出した固定片６４１が形成されている。
【００８７】
規制片６１０，６１４，６２０，６２６により、回路基板７が第２方向Ｄ２に移動することが規制される。
【００８８】
第１側板６１Ｃには、一対の突部６１３及び一対の爪片６１３１が形成されている。また、第２側板６２Ｃには、一対の突部６２３及び一対の爪片６２３１が形成されている。
【００８９】
第４側板６４Ｃには、回路基板７の第２面７０２に設けられたコネクタ７４を露出させる孔６４４が形成されている。コネクタ７４は、速結端子を備えており、一対の電線が接続可能である。孔６４４の縁は、カーリング加工が施されている。これにより、コネクタ７４に接続された電線の損傷を抑制することが可能となる。また、底板６０Ｃにおけるコネクタ７４と対向する部位には、コネクタ７４に接続された電線のロックを解除する工具が通される一対の孔６０１が形成されている。
【００９０】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００９１】
２  第２光源ユニット（光源ユニット）
３  器具本体
４，４Ａ，４Ｂ，４Ｃ  電源装置
６，６Ｃ  ケース
６２４，６４３  端部
６２５  凹部
６５  開口
６６Ａ  第１押圧部（押圧部）
６６１  本体部
６６２  接続部
７  回路基板
７０１  第１面
７０２  第２面
７１  素子
７１１  発熱素子（一部の素子）
７３  放熱部材
８，８Ａ，８Ｂ  絶縁部材
８０１  カバー部
８０１２  第２端部（端部）
８０１３  一面
８０３Ａ，８０３Ｂ  突出部
８０３１  先端部
９Ａ，９Ｂ  照明器具
【図１】
2017201614.tif 000003
【図２】
2017201614.tif 000004
【図３】
2017201614.tif 000005
【図４】
2017201614.tif 000006
【図５】
2017201614.tif 000007
【図６】
2017201614.tif 000008
【図７】
2017201614.tif 000009
【図８】
2017201614.tif 000010
【図９】
2017201614.tif 000011
【図１０】
2017201614.tif 000012
【図１１】
2017201614.tif 000013
【図１２】
2017201614.tif 000014
【図１３】
2017201614.tif 000015
【図１４】
2017201614.tif 000016